(57)【要約】      （修正有）【課題】横入れにも縦入れにも適用できるコネクタ端子を備えるとともに十分な瞬断耐性を有するカードコネクタおよびコネクタ端子を提供する。【解決手段】コネクタ端子１２を固定したインシュレータ１１と、インシュレータ１１に組み付けられ、インシュレータ１１との間にカード収容部２２を形成するカバー１３と、インシュレータ１１を半田により基板に固定するための固定金具４２とを備えたカードコネクタ１０およびコネクタ端子１２であって、コネクタ端子１２は、カード収容部２２への情報記録カード７０の挿入方向と交差する方向に延在して端子基部１７から片持ち支持された一対の板状のアーム片と、前記挿入方向に対して傾斜した誘い面を有し前記アーム片の自由端部に連結して設けられた凸状の接触子１８と、を備え、前記アーム片は前記端子基部と前記接触子との間にわたって捻られた形状である。【選択図】図１
2009295496.tif 000002
【特許請求の範囲】
【請求項１】
コネクタ端子を固定したインシュレータと、前記インシュレータに組み付けられ、該インシュレータとの間にカード収容部を形成するカバーと、前記インシュレータを半田により基板に固定するための固定金具とを備え、
情報を記憶した情報記録カードの前記カード収容部への装着に伴い、前記コネクタ端子を該情報記録カードに電気的に接続して前記情報記録カードの前記情報を抽出するのに用いられるカードコネクタであって、
前記コネクタ端子は、前記カード収容部への前記情報記録カードの挿入方向と交差する方向に延在して端子基部から片持ち支持された一対の板状のアーム片と、前記挿入方向に対して傾斜した誘い面を有し前記アーム片の自由端部に連結して設けられた凸状の接触子と、を備え、
前記アーム片は前記端子基部と前記接触子との間にわたって捻られた形状であることを特徴とするカードコネクタ。
【請求項２】
前記コネクタ端子の前記アーム片は、前記端子基部から前記接触子に向けて幅狭に形成されていることを特徴とする請求項１記載のカードコネクタ。
【請求項３】
端子基部から片持ち支持された一対の板状のアーム片と、相手側接触子の移動方向に対して傾斜した誘い面を有し前記アーム片の自由端部に連結して設けられた凸状の接触子と、を備え、前記アーム片は前記端子基部と前記接触子との間にわたって捻られた形状であることを特徴とするコネクタ端子。
【請求項４】
前記アーム片は、前記端子基部から前記接触子に向けて幅狭に形成されていることを特徴とする請求項３記載のコネクタ端子。
【発明の詳細な説明】
【技術分野】
【０００１】
本発明は、例えば携帯電話、ＰＤＡ（Ｐｅｒｓｏｎａｌ  Ｄｉｇｉｔａｌ  Ａｓｓｉｓｔａｎｔ（Ｐｅｒｓｏｎａｌ  Ｄａｔａ  Ａｓｓｉｓｔａｎｃｅ））、ノート型パソコン等に装着することで個人情報を抽出するＳＩＭカード（Ｓｕｂｓｃｒｉｂｅｒ  Ｉｄｅｎｔｉｔｙ  Ｍｏｂｕｌｅ）等の情報記録カードの装着用に用いられるカードコネクタおよびコネクタ端子に関する。
【背景技術】
【０００２】
携帯電話に用いられるＳＩＭカードは、例えば、ヨーロッパ等の国を超えて単一の携帯電話を使用する機会が多い場合、その国で発行されているＳＩＭカードを入れ換えて使用すれば、異なる国において、その携帯電話を使用することができる。特に、ＳＩＭカードは、使用する国で購入する方が低価格な通話料金で通話をすることができる。
【０００３】
従来のカードコネクタとして、図１８（Ａ），（Ｂ）に示すように、ケース１０１とカバー１０２との間に形成されたカード収容部１０３に、このカード収容部１０３の挿抜方向を長手方向にして複数のコネクタ端子１０４を組み付け、カード収容部１０３にＳＩＭカード即ち情報記録カード２００を縦入れ即ち短辺をカード収容部１０３に向けて挿入するようにしたカードコネクタ１００が知られている（例えば、特許文献１参照）。なお、以下の説明において、短辺をカード収容部に向けて挿入することを縦入れといい、長辺をカード収容部に向けて挿入することを横入れという。
【０００４】
【特許文献１】特開２００７−２６９１９号公報
【発明の開示】
【発明が解決しようとする課題】
【０００５】
ところが、上記特許文献１に開示されたカードコネクタ１００においては、情報記録カード２００を縦入れに代えて横入れする場合、コネクタ端子１０４の長手方向を、カード収容部１０３の挿抜方向に変更して配列することになって異なる金型を用意する等コスト面で不利になる。そのため、金型の大幅な変更がなく製造できる横入れ用のカードコネクタが望まれている。
【０００６】
また、上記特許文献１に開示されたカードコネクタ１００においては、落下させてしまった場合に、通電中のコネクタ端子１０４が情報記録カード２００側のカード側接点から瞬間的に離れて信号や電力等の微小電流が一時的に途切れてしまう、所謂瞬断を起こすおそれがある。そして、瞬断時間が長いと情報記録カード２００内に電気的に記録されている情報が消失したり携帯電話内の部品に損傷を与えたりするおそれがある。したがって、瞬断に対する十分な耐性が望まれている。
【０００７】
本発明は、上述した事情に鑑みてなされたものであり、その目的は、従来の縦入れ用カードコネクタと同じ端子配列で金型を大幅に変更させずに横入れ用として製造できるとともに十分な瞬断耐性を有するカードコネクタおよび小型でも十分な瞬断耐性が得られるコネクタ端子を提供することにある。
【課題を解決するための手段】
【０００８】
本発明の上記目的は、下記構成により達成される。
（１）  コネクタ端子を固定したインシュレータと、前記インシュレータに組み付けられ、該インシュレータとの間にカード収容部を形成するカバーと、前記インシュレータを半田により基板に固定するための固定金具とを備え、
情報を記憶した情報記録カードの前記カード収容部への装着に伴い、前記コネクタ端子を該情報記録カードに電気的に接続して前記情報記録カードの前記情報を抽出するのに用いられるカードコネクタであって、
前記コネクタ端子は、前記カード収容部への前記情報記録カードの挿入方向と交差する方向に延在して端子基部から片持ち支持された一対の板状のアーム片と、前記挿入方向に対して傾斜した誘い面を有し前記アーム片の自由端部に連結して設けられた凸状の接触子と、を備え、
前記アーム片は前記端子基部と前記接触子との間にわたって捻られた形状であることを特徴とするカードコネクタ。
【０００９】
（２）  前記コネクタ端子の前記アーム片は、前記端子基部から前記接触子に向けて幅狭に形成されていることを特徴とする前記（１）記載のカードコネクタ。
【００１０】
（３）  端子基部から片持ち支持された一対の板状のアーム片と、相手側接触子の移動方向に対して傾斜した誘い面を有し前記アーム片の自由端部に連結して設けられた凸状の接触子と、を備え、前記アーム片は前記端子基部と前記接触子との間にわたって捻られた形状であることを特徴とするコネクタ端子。
【００１１】
（４）  前記アーム片は、前記端子基部から前記接触子に向けて幅狭に形成されていることを特徴とする前記（３）記載のコネクタ端子。
【００１２】
上記（１）の構成のカードコネクタによれば、コネクタ端子は、前記カード収容部への前記情報記録カードの挿入方向と交差する方向に延在して端子基部から片持ち支持された一対の板状のアーム片と、前記挿入方向に対して傾斜した誘い面を有し前記アーム片の自由端部に連結して設けられた凸状の接触子と、を備えているので、カード収容部へ横入れした情報記録カードに接触子を確実に接触させることができる。これにより、従来の縦入れ用カードコネクタの端子配列の金型を横入れ用に転用して、金型におけるカード挿入口の位置を変えるだけで、横入れ用カードコネクタを容易に製造できる。したがって、従来の金型のコネクタ端子の配列を変更する必要がなくなってコスト面で有利に製造することができる。
【００１３】
また、片持ち支持構造によってコネクタ端子の全長を短くすることができるとともに、カード収容部に情報記録カードを挿入した際に、コネクタ端子は、接触子の接触側に有する傾斜した誘い面を介して情報記録カードに確実に接触することができる。
【００１４】
また、アーム片を捻れ構造にすることにより剛性を高めることができ、接触子に情報記録カードを接触させた際の弾性反発力を高くして固有振動数を好ましい高い値に設定することができる。したがって、所定の接触圧力による十分な瞬断耐性を有するコネクタ端子を得られる。また、単純に平面板形状のアーム片を有するものと比べて、肉厚を薄くしても高い剛性を得られるので、材料の使用量を低減して軽量化を図ることができる。
【００１５】
上記（２）の構成のカードコネクタによれば、接触子側が端子基部よりも動き易いので、接触子側に与えられた応力を接触子側で吸収でき、応力が基端部に集中することがない。したがって、コネクタ端子の損傷が防止され耐久性が向上する。
【００１６】
上記（３）の構成のコネクタ端子によれば、その長手方向を被接続体の進行方向に交差して配置した場合においても、被接続体に接触子を接触させることができる。これにより、従来の縦入れ用カードコネクタの金型の端子配列を変更せずに、横入れ用カードコネクタの金型に改造することができるので、コスト面で有利に製造することができる。
【００１７】
また、片持ち支持構造によってコネクタ端子全長を短くすることができるとともに、接触子に有する傾斜した誘い面を介して情報記録カードに確実に接触することができる。
【００１８】
また、アーム片は捻れ構造にすることにより剛性を高めることができ、接触子に被接続体を接触させた際の弾性反発力を高くして固有振動数を好ましい高い値に設定することができる。したがって、所定の接触圧力による十分な瞬断耐性を得ることができる。また、単純に平面板形状のアーム片を有するものと比べて、肉厚を薄くすることができるために材料の使用量を低減して軽量化を図ることができる。
【００１９】
また、上記（４）の構成のコネクタ端子によれば、接触子側が端子基部よりも動き易いので、先端部に与えられた応力を接触子側で吸収でき、応力が基端部に集中することがない。したがって、コネクタ端子の損傷が防止され、耐久性が向上する。
【発明の効果】
【００２０】
本発明によれば、カバー従来の縦入れ用カードコネクタと同じ端子配列で横入れ用カードコネクタを製造することができ、金型の改造が少なくてすみ、横入れ用に対応したカードコネクタを容易に製造できる。また、コネクタ端子の剛性が高くなるので、十分な瞬断耐性を備えるカードコネクタおよびコネクタ端子を提供できる。更に、コネクタ端子は小型でも高い弾性力を発揮することができるので、コネクタ端子を低背化でき、カードコネクタを薄形化することができる。この結果、カードコネクタが装着される携帯電話等の機器も薄形化することができる。
【発明を実施するための最良の形態】
【００２１】
以下、本発明に係る好適な実施形態について図を参照しながら詳細に説明する。
【００２２】
図１〜図１７は本発明に係るカードコネクタおよびコネクタ端子の一実施形態を示すもので、図１は本発明に係るカードコネクタの一実施形態の斜め上方から視た斜視図、図２は図１のカードコネクタに用いられるインシュレータの平面図、図３は図２のインシュレータの正面図、図４は図２のインシュレータの右側面図、図５は図２のインシュレータの底面図、図６は図１のコネクタ端子周りの斜め上方から視た斜視図、図７は図６のコネクタ端子の図６よりも下方から視た斜視図、図８は図６のコネクタ端子の平面図、図９は図６のコネクタ端子の正面図、図１０（Ａ）は図６のコネクタ端子のアームの基端部の断面図、図１０（Ｂ）は図６のコネクタ端子のアームの先端部の断面図、図１１は図１のカードコネクタへの情報記録カードの横入れ時の断面図である。
【００２３】
また、図１２は本発明の一実施例に係るコネクタ端子の変形例の斜め上方から視た斜視図、図１３は図１２のコネクタ端子の図１１よりも下方から視た斜視図、図１４は図１２のコネクタ端子の平面図、図１５は図１２のコネクタ端子の正面図、図１６は図１２のカードコネクタへの情報記録カードの縦入れ時の断面図、図１７は図１２のカードコネクタへの情報記録カードの図１６とは反対方向からの縦入れ時の断面図である。
【００２４】
図１に示すように、本発明の一実施形態であるカードコネクタ１０は、インシュレータ１１と、インシュレータ１１に一体成形された６個のコネクタ端子１２と、インシュレータ１１に組み付けられるカバー１３と、インシュレータ１１を半田により基板に固定するための固定金具４２とを備え、情報記録カード７０を挿抜自在に保持する。
【００２５】
ここで、情報記録カード７０は、世界中の国で利用されている統一規格のＳＩＭカード（Ｓｕｂｓｃｒｉｂｅｒ  Ｉｄｅｎｔｉｔｙ  Ｍｏｂｕｌｅ）であり、一対の長辺７１と、一対の短辺７２と、を有する長方形の板状体である。情報記録カード７０は、コネクタ端子１２の配列に対応する複数のカード側接点（不図示）を有する。
【００２６】
情報記録カード７０は、内蔵されている記録装置（ＲＡＭ）に、電話番号、ユーザーＩＤ、料金等の通話契約情報や、個人メールアドレス等が保存されているとともに、情報の演算処理等を行うことができ、カード側接点から、それらの情報を抽出することができる。
【００２７】
インシュレータ１１は、非導電性の例えば硬質の樹脂材料を用いて縦断面視コ字形に成形されている。インシュレータ１１は平板状をなすインシュレータ本体１４を有し、インシュレータ本体１４の両側部に一対のガイド板１５を有する。
【００２８】
インシュレータ本体１４は、図１中に矢印で示す情報記録カード７０の挿入方向に３個ずつ２列の６個の端子窓１６を有する。
【００２９】
コネクタ端子１２は、基端部１７をインシュレータ本体１４に固定されており、先端部に接触子１８を有し、基端部１７と接触子１８とはアーム１９により連結されている。
【００３０】
カバー１３は、導電性を有する例えばステンレス等の鋼材料を用いて略コ字形にプレス成形されており、外乱防止用のシールドとして機能する。カバー１３は、平板状をなすカバー本体２０を有し、カバー本体２０の両側部に一対のガイド板挿入部２１を有する。
【００３１】
カバー１３は、ガイド板挿入部２１をインシュレータ１１のガイド板１５にそれぞれ挿入させることでインシュレータ１１に組み付けられる。そして、カバー１３のカバー本体２０とインシュレータ１１のインシュレータ本体１４との間にカード収容部２２が形成されている。カード収容部２２に挿入された情報記録カード７０はカバー本体２０とインシュレータ本体１４とによって挿抜自在に装填される。
【００３２】
図２に示すように、インシュレータ１１は両ガイド板１５にインシュレータ１１を半田により基板に固定するための固定金具４２が装着されている。固定金具４２はカバー嵌着用の可撓片２３を有する。可撓片２３は、ガイド板１５にカバー１３のガイド板挿入部２１を挿入した際にカバー１３を抜け止めして固定するとともに、カバー１３との電気的接続片として機能する。固定金具４２はカバー１３と電気的に接触し、半田により基板に固定されることにより、基板へアースを落とす機能を有する。
【００３３】
図３に示すように、コネクタ端子１２は、接触子１８をインシュレータ本体１４の端子窓１６から上方に向けて突出して装着されている。
【００３４】
図４、図５に示すように、コネクタ端子１２の基端部１７は、インシュレータ本体１４の裏面で折り返されてインシュレータ本体１４に固定されている。基端部１７は、このカードコネクタ１０が搭載される携帯電話等の機器内の不図示の制御回路に電気的に接続される。
【００３５】
次に、図６、図７、図８、図９、図１０を参照してコネクタ端子１２の詳細構造について説明する。
【００３６】
図６に示すように、コネクタ端子１２は、その基端部１７をインシュレータ１１に固定した片持ち支持構造である長方形の板形状に形成されている。コネクタ端子１２は接触子１８の端部に舌片２４を有する。舌片２４は断面Ｌ字形状に突出形成されており、インシュレータ１１の端子窓１６の下面に係止することで、接触子１８の突出寸法（図１１参照）Ｌ１を例えば０．３ｍｍの所定の値に設定して所定の接触圧が得られるようになっている。
【００３７】
アーム１９は、その中央部に肉抜き部２５が形成され、肉抜き部２５の両側に一対のアーム片２６を有する。アーム片２６は幅寸法が基端部から先端部に向けて幅狭になっている。
【００３８】
図７に示すように、アーム１９は、先端側が図７中の上方即ち情報記録カード７０への接触側に向けて張り出すように片持ち支持構造になっている。これにより、コネクタ端子１２は情報記録カード７０へ向けて弾性反発力を蓄積する。
【００３９】
図８に示すように、アーム１９は、接触子１８と同一の幅寸法を有する幅広に形成されているために、情報記録カード７０の挿入時の荷重に伴う接触子１８の姿勢変動等の変形を少なくすることができる。
【００４０】
アーム片２６は、その基端部２７に対してその先端部の接触子接続部２８の幅寸法を小さく形成されているために、情報記録カード７０の挿入に伴い接触子１８に与えられた応力を接触子側で吸収することができ、応力を基端部２７に集中させないようにできる。
【００４１】
接触子１８は、アーム片２６の接触子接続部２８側に延出した側部湾曲傾斜面２９，３０と、コネクタ端子１２の長手方向の前方に延出した前部湾曲傾斜面３１と、コネクタ端子１２の長手方向の後方に延出した後部湾曲傾斜面３２と、を有する。各湾曲傾斜面２９，３０，３１，３２は、情報記録カード挿入方向に対して傾斜し情報記録カード７０への接触側に向けて凸となる略半球形状を形成するように一体に連設されている。アーム片２６に連続した湾曲傾斜面２９，３０は、情報記録カード挿入時にカード側接点を円滑に接触子１８の頂点へ誘導する誘い面として機能する。
【００４２】
接触子１８は、側部湾曲傾斜面２９，３０を介して一対のアーム片２６の先端部の接触子接続部２８にそれぞれ接続しているために、アームの中央部に接触子を単純に接続したものと比べて剛性を高くすることができる。
【００４３】
図９、図１０（Ａ），（Ｂ）に示すように、アーム片２６は、プレス加工により、その幅方向にわずかに湾曲して形成されており、基端部２７と接触子接続部２８との間に捻れ部３３を有する。そのため、アーム片２６は、基端部２７をコネクタ端子１２の基端部１７と同一の平面に形成され、接触子接続部２８を接触子１８と連続する傾斜面に形成され、接触子接続部２８を基端部２７に対して傾斜して形成されている。このとき、一対のアーム片２６の接触子接続部２８の形成する角度Ｃ１を例えば９０度〜１２０度に設定しているために、情報記録カード７０に対する３０度〜４５度の誘い角Ｃ２をコネクタ端子１２に設定することができる。
【００４４】
アーム１９は長手方向にわたる捻れ部３３を有する一対のアーム片２６によって形成されるために接触子１８に情報記録カード７０を接触させた際の弾性反発力を高くすることができる。また、単純に平面板形状のアームを有するものと比べて、コネクタ端子１２全体の肉厚を薄くかつ長さを短くしても同じ弾性反発力を得られる。
【００４５】
図１１に示すように、コネクタ端子１２は、図１１中に示す矢印方向（図８に示すＸ１方向即ち図１に示した矢印方向）即ちコネクタ端子１２の長手方向に交差する一方向に、横入れにより挿入される（進行する）情報記録カード７０に、接触子１８の一方の側部湾曲傾斜面２９を介して電気的な接続を行える。
【００４６】
また、コネクタ端子１２は、Ｘ１方向とは反対の図８に示すＸ２方向即ちコネクタ端子１２の長手方向に交差する他方向に、横入れにより挿入される情報記録カード７０に、接触子１８の他方の側部湾曲傾斜面３０を介して電気的な接続を行える。
【００４７】
このように、コネクタ端子１２は、横入れ用カードコネクタにおいて、コネクタ端子１２の長手方向と交差する方向に情報記録カード７０を挿入しても、接触子１８の側部湾曲傾斜面３０を介して電気的な接続を確実に行える。
【００４８】
さらに、接触子１８は、縦入れ用カードコネクタに装着された場合には、図８に示すＹ１方向即ちコネクタ端子１２の長手方向に平行な一方向に、縦入れにより挿入される情報記録カード７０にも、接触子１８の前部湾曲傾斜面３１を介して電気的な接続を行える。
【００４９】
即ちコネクタ端子１２は、その長手方向および長手方向に交差する方向のいずれの方向に情報記録カード７０を挿入した場合にも、接触子１８がカード側接点に確実に接触することができる。
【００５０】
次に、図１２、図１３、図１４、図１５、図１６、図１７を参照して、本発明の一実施形態に係るコネクタ端子の変形例について説明する。この変形例は、縦入れタイプのカードコネクタに装着されると好ましいものである。
【００５１】
図１２、図１３に示すように、本変形例のコネクタ端子４１は、基端部１７をインシュレータ１１に固定した片持ち支持構造であって、アーム１９の接触子１８側を短辺にした等脚台形の板形状に形成されている。
【００５２】
図１４、図１５に示すように、アーム１９は、その中央部に肉抜き部２５が形成されている。肉抜き部２５の両側の一対のアーム片２６は、その基端部２７に対してその先端部の接触子接続部２８の幅寸法が小さく形成されており、接触子接続部２８が接触子１８と同一の面を形成するように連設されている。これにより、図８に示したコネクタ端子１２と比べて接触子１８を小型化できるために軽量化を図ることができる。
【００５３】
図１６に示すように、コネクタ端子４１は、図１６中に示す矢印方向（図１４に示すＹ２方向）即ちコネクタ端子１２の長手方向に平行な一方向に、縦入れにより挿入される（進行する）情報記録カード７０に、アーム片２６の接触子接続部２８を介して電気的な接続を行える。
【００５４】
また、図１７に示すように、コネクタ端子４１は、Ｙ２方向とは反対の図１７中に示す矢印方向（図１４に示すＹ１方向）即ちコネクタ端子１２の長手方向に平行な他方向に、縦入れにより挿入される情報記録カード７０に、前部湾曲傾斜面３１を介して電気的な接続を行える。
【００５５】
即ちコネクタ端子４１は、その長手方向に沿って挿入される情報記録カード７０に接触子１８が確実に接触することができる。
【００５６】
以上説明したように、本実施形態のカードコネクタ１０によれば、コネクタ端子１２は、その長手方向をカード収容部２２への情報記録カード７０の挿入方向に交差させてインシュレータ１１に固定し、コネクタ端子１２の接触子１８は、挿入方向に対して傾斜した誘い面としての湾曲傾斜面２９，３０を有するので、従来の縦入れ用のカードコネクタの金型の端子配列をそのまま利用して、金型をわずかに改造するだけで、横入れ用のカードコネクタ１０を製造することができる。
【００５７】
また、上記カードコネクタ１０によれば、片持ち支持構造によってコネクタ端子１２、４１の全長を短くすることができるとともに、カード収容部２２に情報記録カード７０を挿入した際に、コネクタ端子１２，４１は、先端部の接触子１８の接触側に有する湾曲傾斜面２９，３０を介して情報記録カード７０に確実に接触することができる。
【００５８】
また、上記カードコネクタ１０によれば、アーム１９は捻れ部３３を有する構成により剛性が高まり、接触子１８に情報記録カード７０を接触させた際の弾性反発力を高くして固有振動数を好ましい高い値に設定することができるので、所定の接触圧力による十分な瞬断耐性を有するコネクタ端子１２，４１を得られる。また、単純に平面板形状のアームを有するものと比べて、肉厚を薄くかつ長さを短くしても同じ弾性反発力を得られる。したがって、材料の使用量を低減して軽量化を図ることができる。
【００５９】
また、上記カードコネクタ１０によれば、アーム片２６の接触子１８側の接触子接続部２８を基端部１７よりも幅狭に形成しているために、接触子側が端子基部よりも動き易いので、接触子１８側に与えられた応力を接触子１８側で吸収でき、応力が基端部１７に集中することがない。したがって、コネクタ端子１２，４１の損傷が防止され耐久性が向上する。
【００６０】
また、本実施形態のコネクタ端子１２によれば、横入れ用のカードコネクタに長手方向を情報記録カード７０の進行方向に交差して配置した場合に、情報記録カード７０に接触子１８を確実に接触させることができる。
【００６１】
また、上記コネクタ端子１２，４１によれば、片持ち支持構造によって全長を短くすることができるとともに、先端部の接触子１８の接触側に有する湾曲傾斜面２９，３０，３１，３２を介して情報記録カード７０に確実に接触することができる。
【００６２】
また、上記コネクタ端子１２，４１によれば、アーム１９は捻れ部３３を有する構成により剛性が高まり、接触子１８に情報記録カード７０を接触させた際の弾性反発力を高くして固有振動数を好ましい高い値に設定することができるので、所定の接触圧力による十分な瞬断耐性を得ることができる。また、単純に平面板形状のアームを有するものと比べて、肉厚を薄くかつ長さを短くしても同じ弾性反発力を得られる。したがって、材料の使用量を低減して軽量化を図ることができる。
【００６３】
また、上記コネクタ端子１２，４１によれば、アーム１９の接触子１８側の接触子接続部２８を基端部２７よりも幅狭に形成しているために、接触子側が基端部１７よりも動き易いので、接触子１８側に与えられた応力を接触子１８側で吸収でき、応力が基端部１７に集中することがない。したがって、コネクタ端子１２，４１の損傷が防止され耐久性が向上する。
【００６４】
尚、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００６５】
例えば、コネクタ端子は、その長手方向を情報記録カードの挿入（進行）方向に交差して固定する場合およびその長手方向を情報記録カードの挿入（進行）方向に固定する場合に代えて、挿入（進行）方向に対して例えば４５度等の好ましい角度だけ傾斜して固定しても良い。もちろんその場合にも接触子を情報記録カードに確実に接触させることができる。
【００６６】
また、インシュレータとカバーとの間に複数のカード収容部を形成して、それらカード収容部に複数枚の情報記録カードを挿抜自在に収容することもできる。
【００６７】
また、コネクタ端子は図示した６個に限定されず、情報記録カードの容量即ち保存項目の量に応じて増減するカード側接点の数に対応して適宜選択設定することができることは言うまでもない。
【００６８】
加えて、コネクタ端子は図示したカードコネクタに装備されるのに代えて、一般的な相手側コネクタ等に接続される各種コネクタにも適用することができる。
【図面の簡単な説明】
【００６９】
【図１】本発明に係るカードコネクタの一実施形態の斜め上方から視た斜視図である。
【図２】図１のカードコネクタに用いられるインシュレータの平面図である。
【図３】図２のインシュレータの正面図である。
【図４】図２のインシュレータの右側面図である。
【図５】図２のインシュレータの底面図である。
【図６】図１のコネクタ端子周りの斜め上方から視た斜視図である。
【図７】図６のコネクタ端子の図６よりも下方から視た斜視図である。
【図８】図６のコネクタ端子の平面図である。
【図９】図６のコネクタ端子の正面図である。
【図１０】（Ａ）は図６のコネクタ端子のアームの基端部の端面図、（Ｂ）は図６のコネクタ端子のアームの先端部の端面図である。
【図１１】図１のカードコネクタへの情報記録カードの横入れ時の断面図である。
【図１２】本発明の一実施例に係るカードコネクタに適用されるコネクタ端子の変形例の斜め上方から視た斜視図である。
【図１３】図１２のコネクタ端子の図１１よりも下方から視た斜視図である。
【図１４】図１２のコネクタ端子の平面図である。
【図１５】図１２のコネクタ端子の正面図である。
【図１６】図１２のカードコネクタへの情報記録カードの縦入れ時の断面図である。
【図１７】図１２のカードコネクタへの情報記録カードの図１６とは反対方向からの縦入れ時の断面図である。
【図１８】（Ａ），（Ｂ）は従来のカードコネクタのそれぞれ概観図である。
【符号の説明】
【００７０】
１０    カードコネクタ
１１    インシュレータ
１２    コネクタ端子
１３    カバー
１８    接触子
１９    アーム
２２    カード収容部
２６    アーム片
２９    側部湾曲傾斜面
３０    側部湾曲傾斜面
３１    前部湾曲傾斜面
３２    後部湾曲傾斜面
３３    捻れ部
４１    コネクタ端子
４２    固定金具
７０    情報記録カード（被接続体）
【図１】
2009295496.tif 000003
【図２】
2009295496.tif 000004
【図３】
2009295496.tif 000005
【図４】
2009295496.tif 000006
【図５】
2009295496.tif 000007
【図６】
2009295496.tif 000008
【図７】
2009295496.tif 000009
【図８】
2009295496.tif 000010
【図９】
2009295496.tif 000011
【図１０】
2009295496.tif 000012
【図１１】
2009295496.tif 000013
【図１２】
2009295496.tif 000014
【図１３】
2009295496.tif 000015
【図１４】
2009295496.tif 000016
【図１５】
2009295496.tif 000017
【図１６】
2009295496.tif 000018
【図１７】
2009295496.tif 000019
【図１８】
2009295496.tif 000020